Podtech/llm-jp-corpus-v4-ja_patent huggingface dataset:
(57)【要約】【課題】本発明は、従来の１画面しかないナビゲーション装置よりも多くの情報を見やすく運転者に提供する。【解決手段】２つの操作表示ユニット１を設け、収納搬送ユニット２によりベースユニット３に収納できるナビゲーション装置とする。これによりナビゲーション機能などにおける情報表示量や操作における有効活用が可能となる。【選択図】図１
2010000990.tif 000002
【特許請求の範囲】
【請求項１】
カーナビに伴う操作、表示を行う２つの操作表示ユニットと、前記２つの操作表示ユニットを自動車のダッシュボードに収納するためのベースユニットと、前記２つの操作表示ユニットを前記ベースユニットへ搬送するための収納搬送ユニットから成ることを特徴とするダッシュボード収納式カーナビユニット。
【請求項２】
前記２つの操作表示ユニットは、ダッシュボードへの収納時操作表示部分を向かい合わせに収納できることを特徴とする請求項１記載のダッシュボード収納式カーナビユニット。
【請求項３】
前記２つの操作表示ユニットを収納する前記ベースユニットは、側壁と後壁と底面部とを有し、前方から収納搬送ユニットが出し入れ自由に収納されることを特徴とする請求項１乃至２のいずれか１つに記載のダッシュボード収納式カーナビユニット。
【請求項４】
前記収納搬送ユニットは、２つのモーターが内蔵されており、その内１つのモーターで前記２つの操作表示ユニットの開閉を行い、もう１つのモーターで長手方向の端面に配設された２つの歯車を駆動し、前記略直方体の前記ベースユニットに配設された２つのラックが、前記２つの歯車と噛み合うことにより出し入れ自由に収納されることを特徴とする、請求項１乃至３のいずれか１つに記載のダッシュボード収納式カーナビユニット。
【発明の詳細な説明】
【技術分野】
【０００１】
本発明は、自動車のダッシュボードに収納され、自動車の現在位置等を示す地図を表示するダッシュボード収納式カーナビユニットに関するものである。
【背景技術】
【０００２】
従来のダッシュボード収納式カーナビユニットは、１つの操作表示ユニットが収納されている。
【発明の開示】
【発明が解決しようとする課題】
【０００３】
従来のダッシュボード収納式カーナビユニットは、収納するスペースに限りがあるため操作表示ユニットの大型化を望むことが難しく、運転者に伝える情報量が限られてしまうという問題がある。
【課題を解決するための手段】
【０００４】
本発明は、上記課題を解決するため、操作表示ユニットを２つに増やす。
【０００５】
これにより、情報の見やすいダッシュボード収納式カーナビユニットが得られる。
【発明の効果】
【０００６】
以上のように請求項１に記載の発明によれば、操作表示ユニットを２つにすることにより従来の１つしかない操作表示ユニットを持つ装置に比べ表示できる情報量、操作性の向上を図ることができるという効果が得られる。
また、請求項２と請求項３に記載の発明によれば、請求項１に記載の発明において２つの操作表示ユニットを、不使用時に収納できるという効果が得られる。
さらに、請求項４に記載の発明によれば、請求項１乃至３のいずれか１つに記載の発明において、収納搬送ユニットの端面に設置された２つの歯車がベースユニット内壁面に沿って配置されたに２つのラックに案内されるため、収納搬送ユニット移動時のひっかかり等による摩擦の発生が防止できるという有利な効果が得られる。
【図面の簡単な説明】
【０００７】
【図１】本発明の操作表示ユニットを展開した斜視図である。
【図２】本発明の操作表示ユニット、収納搬送ユニット、ベースユニットを示す分解斜視図である。
【符号の説明】
【０００８】
１  操作表示ユニット
２  収納搬送ユニット
３  ベースユニット
４  ラック
５  歯車
【図１】
2010000990.tif 000003
【図２】
2010000990.tif 000004
(57)【要約】【課題】  溶融亜鉛めっきでボルトのねじについた余分なめっきを、ねじ山の形にする修正方法を得て、めっきのためのオーバサイズを小さくすること。その修正方法を適用した溶融亜鉛めっきボルトを得ること。修正方法は、めっきに要求される耐食性を落とさない方法であること。【解決手段】  溶融亜鉛めっきしたナットのねじの余分なめっきを、塑性変形でねじ山の形を整える。工具は、めねじを塑性変形で形成するタップ又はボルトである。【特許請求の範囲】
【請求項１】
溶融亜鉛めっきしたナットのねじの余分なめっきを、塑性変形で形成するタップ又はボルトを用いて、ねじ山の形を整えることを特徴とするねじ山の修正方法。
【請求項２】
請求項１に記載した方法で製造したことを特徴とするナット。
【発明の詳細な説明】
【技術分野】
【０００１】  本発明はボルト・ナットに属す。表面処理は、溶融亜鉛又は溶融亜鉛合金めっきに属す。
【背景技術】
【非特許文献１】ＪＥＭ  １４３３：１９８８溶融亜鉛めっきメートルねじ
【非特許文献２】ＪＥＭ  １４３４：１９８８溶融亜鉛めっき六角ボルト及び六角ナット
【０００２】  溶融亜鉛めっき（以下、溶融亜鉛めっき、溶融亜鉛−アルミニウム系合金など溶融金属めっきの総称として溶融亜鉛めっきを使う）したボルトに、溶融亜鉛めっきしたナットを組合せて使う場合、おねじとめねじの間に、めっき代分の隙間を予め設けておき、めっきする必要がある。この隙間は、ボルトのねじを基準より小さくしたり（アンダサイズ）、ナットのねじを大きくしたり（オーバサイズ）して作る。しかしここでは、一般的に行なわれている、ボルトのねじは基準通り（めっきをしないで使う標準ボルト）で、ナットのねじをオーバサイズにした例で以下説明をする。【０００３】  ナットのめねじのオーバサイズについて、上記の非特許文献の規格と規格外の例を表１の二重線の上側に示す。この表のオーバサイズ量がおねじとめねじの両方のめっき代になる。表１の二重線と三重線の間に加工公差を示す。加工公差は、おねじはマイナス側に、めねじはプラス側にとるので、ボルトとナットのねじが公差の限界になった場合は、表のおねじとめねじの加工公差の和がめっき代として、オーバサイズ量に追加して利用できる。しかし実際には、ボルトとナットが同時に公差の限界にはならないので、和の１／４〜１／２位しか追加利用はできない。【０００４】
【表１】
2010000592.tif 000002
【０００５】  溶融亜鉛めっきのねじ面に直角方向の厚さは、規格で０．０５ｍｍである。この値を直径方向のめっき代に換算（ねじの頂角が６０度なので半径方向に換算し２倍（１／ｓｉｎ３０＝２）、直径にするために２倍、おねじとめねじの両方で２倍、合計８倍）すると０．４ｍｍになる。この値を基準に表１のオーバサイズ量を検証すると、ＪＥＭ  １４３３及び流通品は、Ｍ１０はオーバサイズ量が０．４ｍｍで余裕がないが、Ｍ１０以外はめっき厚さの規格値を超える分やねじ底のめっき溜まりなどのための余裕がある。Ｍ１０に余裕がないのは、ねじ山の高さが小さいからである。【０００６】  数値は上述のようであるが、実際には、規格に準拠したものは無いといってよい状態で、表１の流通品しか手に入らない。その理由は、規格のオーバサイズ量ではボルトとナットが上手く嵌らないものが多量にでるからである。その一方で、めっきが均一な厚さで溜まりが少ないものは、ボルトとナットのねじの隙間が大き過ぎて“ガタガタ”になり、これで大丈夫かと心配になる状態である。このようになっているのは、余分についためっきをねじ切りのタップで浚うと亜鉛めっきを削ってしまうからである。【０００７】  ナットの内径（下穴径）は、オーバサイズに応じて大きくなるが、ＪＥＭ  １４３３規格のひっかかり率は５２〜６２％位であり、めっきしない通常のものの８０％以上と比べ小さい。結果として、強度不足になる。
【発明の開示】
【発明が解決しようとする課題】
【０００８】  溶融亜鉛めっきでナットのねじについた余分なめっきを、ねじ山の形にする修正方法を得て、めっきのためのオーバサイズを小さくすること。その修正方法を適用して溶融亜鉛めっきナットを得ること。修正方法は、めっきに要求される耐食性を落とさない方法であること。
【課題を解決するための手段】
【０００９】  溶融亜鉛めっきしたナットのねじの余分なめっきを、塑性変形でねじ山の形を整える。工具は、めねじを塑性変形で形成するタップ又はボルト（以下、これらを総称してタップという）である。
【発明の効果】
【００１０】  ねじの形が整えられ、めっき代が小さくできるので、ひっかっかり率を上げた設計ができる。その結果、強度が上がり、溶融亜鉛めっきナットの用途拡大ができる。【００１１】  溶融亜鉛めっきしたボルトのねじの余分なめっきを、転造してねじ山の形に整えたボルトと本発明のナットを組合せた場合は、めっき代が最小にできる。そのために、オーバサイズが小さくでき、めっきしないボルト・ナットと同等の強度を有する溶融亜鉛めっきボルト・ナット、Ｍ８以下の溶融亜鉛めっきボルト・ナットなどの可能性が開ける。
【発明を実施するための最良の形態】
【００１２】  ナットに溶融亜鉛めっきし、必要あれば遠心分離機にかけたものに、タップをねじ込んで、めっきの厚い部分や溜まりの部分のねじ山を整形する。タップのオーバサイズ量は、相手のおねじより大きく、整形した山の当りが、めっきの厚い部分や溜まりの部分は山の高さ方向のほぼ全面、その他の部分はねじ山の高さの１／３位まで着くのがよい。最後に、抜き取りで耐食性試験をする。
【実施例】
【００１３】  Ｍ１０〜Ｍ３６のナットについて、表１の流通品（表のオーバサイズで公差６Ｈ）各５０個を溶融亜鉛メッキし遠心分離機にかけた。このナットに表１の最下行に示すオーバサイズ（公差０．０２ｍｍ）のタップを通しねじ山の形を整えた。使用したタップの山頂にはほんの少し亜鉛の粉がついたが、ナットのねじ面はめっきが剥離した形跡は無かった。表１の流通品とタップのオーバサイズの差がめっき代（表の下から２行目）になるが、Ｍ１６以上は、タップの当りがＭ１２以下より少な目で、めっき代を表の値より小さくしても良さそうに感じられた。【００１４】  各呼び径について、めっきのままの物と上記ねじ山を整えた物各１０個を塩水噴霧試験した。その結果、両者に有意な差はなかった。【００１５】  ナットは、表１のタップのオーバサイズより０．０５ｍｍオーバサイズを小さくしたおねじに嵌めて、動きを調べた。回転に違和感は無く、使えると判断した。０．０５ｍｍの隙間は公差のｇに近く、最小ｇ程度の隙間があれば動きに問題の無いことが判明した。このことから、ＪＥＭ  １４３３のオーバサイズにめねじを切ってもタップを通せば、Ｍ１６以上は溶融亜鉛めっきをしたボルトに使える、Ｍ１２以下はボルトのねじも転造をして形を整えれば使えると考えられる。
【産業上の利用可能性】
【００１６】  ボルト及びナットのねじ山の形を整えるためのコストアップと、めっきしないボルト・ナットと同じ強度が得られることとの兼ね合いで、利用範囲が決まってくる。最近の材料高騰から、ステンレスボルト・ナットの変わりに使われる可能性が高い。
(57)【要約】      （修正有）【課題】苗木を支柱に連結する作業を、腰に負担がなく、楽に作業が出来るようにして、農作業の効率を高められる機能を持つ連結具を提供する。【解決手段】針金のバネ５を利用して、苗木８と支柱７をワンタッチで一緒に保持する。【選択図】図１
2010000071.tif 000002
【特許請求の範囲】
【請求項１】
苗木と（キウリ、メロン、トマト）支柱とを、素早く簡単に、とめる事が出来る器具を、提供する。（普通一般的には、１本の苗木と支柱４〜５ヶ所を紐で結ぶ）
【請求項２】
上記の器具を使用した場合、素早く（ワンタッチ）苗木と支柱が、一体化される為、農作業が能率的で農作業時間（中腰の時間）が少ない為、効率よく、作業が早く身体も楽です。
【発明の詳細な説明】
【技術分野】
【０００１】この発明は、農作業を効率よくし  又、腰に負担が少なく、楽に作業が出来る機能をもつ、らくチーンに関する。【特許文献１】
【非特許文献２】
【背景技術】
【０００２】一般に農家では温室で、キウリ、トマト、メロンを何百本、何千本も栽培しています。苗木１本、１本に支柱を立てて、苗木と支柱とをナイロンの紐で、１本に５ヶ所ぐらい結んでいます。大変な作業で腰が痛くなり、腰痛になります。
【発明の開示】
【発明が解決しようとする課題】
【０００３】しかしながら、この発明技術によれば、いかに何百本の苗木があっても、農作業が楽に、早く出来る  らくチーンを提供する事を、課題とする。
【課題を解決するための手段】
【０００４】▲１▼  以上の課題を解決するために、第一発明は、苗木と支柱を素早く、とめられる。▲２▼  又、第二発明は、素早くとめられるので、中腰の姿勢時間が、少なくて、作業が楽に出来、能率的で、仕事が早く終わる。
【発明の効果】
【０００５】第一発明  又、第二発明によれば、農作業が、女子、年寄りの人でも、素早く  作業が出来るので、楽に腰に負担が少なく、効率良く作業が出来ます。
【発明を実施するための最良の形態】
【０００６】この発明は、実施形態を、Ｎｏ．１図に示す様に、支柱と苗木をしっかりと、とめる為、苗木をいためることなく、育成出来ます。作業も素早く出来ます。
【実施形態の効果】
【０００７】この実施形態によれば、Ｎｏ．１横図面に示す様に、トマトの場合は普通ですと、４ヶ所ぐらい、キウリの場合は５ヶ所ぐらい、メロンの場合は５ヶ所又は、６ヶ所ぐらいが適当です。産地によっては多少異なる事があります。作業は簡単で素早くすみます。
【他の実施形態】
【０００８】
【産業上の利用可能性】
【図面の簡単な説明】
【０００９】
【図１】横図面、園芸支柱と苗木を、とめている図面です。
【図２】上から見た断面図です。
【符号の説明】
【００１０】Ｎｏ．１−３  メロン、キウリ、トマトの苗木を  とめるところＮｏ．１−４  園芸支柱を  とめるところＮｏ．１−５  針金バネを示すＮｏ．１−６  苗木と支柱を  とめるところの長さ４ｃｍＮｏ．１−７  園芸支柱を示すＮｏ．１−８  苗木を示す。（メロン、キウリ、トマト）Ｎｏ．１−９  畑（耕土を示す）Ｎｏ．２−１  本体全長８．６ミリとすＮｏ．２−２  本体を示すＮｏ．２−３  メロン、キウリ、トマトの苗木を  とめるところＮｏ．２−４  園芸支柱を  とめるところＮｏ．２−５  針金のバネを示す
【図１】
2010000071.tif 000003
【図２】
2010000071.tif 000004
(57)【要約】      （修正有）【課題】蔓植物等の添え木を簡単に安定させ、設置が簡単に出来・撤去も簡単に作業可能にする添え木固定具を提供する。【解決手段】プレート状の軽量の板の両端に添え木を通す穴２を２列又は１列に開け、重量を軽くする為中央に穴３を開け、他端に紐の通る固定用の穴１を開けた添え木固定具。【選択図】図１
2010000068.tif 000002
【特許請求の範囲】
【請求項１】
１、  プレート状の軽量の板の長い辺の両端に数個の穴を開け、プレートの短い辺の端中央に紐の通る固定用の穴を開け、穴の開いていない真ん中を切り抜き、添え木を簡単に通し、自由に動かす事が出来る添え木固定具である。
２、  プレート状の中央１列に数個の穴を開け、穴を開けた両端に紐の通る接続固定用の穴を開け、添え木を簡単に通し、自由に動かす事の出来る添え木固定具である。
【発明の詳細な説明】
【技術分野】
【０００１】本発明は、添え木の長さにより１段〜２段に設置した添え木固定具の穴に簡単に差込、下の方を土に挿し使用する事で添え木を安定さすことの出来る添え木固定具である。
【背景技術】
【０００２】  従来は、添え木を土に差込、上部を数本纏め固定するか、あらかじめ横に棒又は、紐を設置して置き、１本１本の添え木を紐で括り固定していました。
【発明の開示】
【発明が解決しようとする課題】
【０００３】  その為に、倒れやすい植物・つる植物等を補助する添え木を立てる為に、添え木を土に差込、更に倒れないように数本を上部で括るか、あらかじめ横に固定用の棒又は、紐を設置し、それに１本１本を土に差込上部を紐で括り倒れないように固定して使用していた。
この様な作業を行うため長時間を要し、更に、不用に成った場合その撤去に紐を切り取り外しを行う必要が有った。
本発明は、この添え木を安定に設置し、撤去を簡素化し労働時間の短縮を図り、一度使用した添え木固定具は繰り返し使用可能で有り、添え木を簡単に安定設置可能で作業時間の短縮更に経費の削減を目的に考案したものである。
【課題を解決するための手段】
【０００４】  添え木の入る穴を数個所空けた添え木固定具の両端を横に通した紐または、棒に括り付け希望の角度・間隔、更に、１〜２段に設置した添え木固定具の１〜２段の穴に簡単に添え木を通し設置する事で添え木が安定し使用可能にするものである。
更に、撤去の場合は添え木固定具の穴から引き抜くだけで簡単に取り外し可能となり、添え木固定具も取り外して置けば繰り返し使用可能である。
【発明の効果】
【０００５】  あらかじめ、成長する植物の高さにより水平に主柱（支柱）に棒を設置し、その棒に添え木固定具を取り付ける。
１〜２段に取り付けた、添え木固定具の穴に添え木を１〜２箇所に通し、希望の角度で下部を土に差し込むだけで、１本１本を括る事無く安定して簡単に使用目的を達成可能にする物であり。
更に、撤去時も添え木を引き抜くだけで作業が終了し、添え木固定具は繰り返し使用できる為、労働時間の短縮に繋がり経済的である。
【発明を実施するための最良の形態】
【０００６】以下、本発明の実施の形態に付いて説明する。
（イ）プレート状の軽量の板の両端に２箇所固定用の穴▲１▼を開け、更に、他の両端に添え木▲７▼を通す穴▲２▼を２列又は、１列に開けた添え木固定具である。
（ロ）穴▲２▼を２列に開けた添え木固定具の重量を軽くする為、中央に穴▲３▼を開け取り付け紐又は、棒▲５▼に穴▲１▼を使用場所の一番高い位置に取り付け、紐で固定する。
（ハ）穴▲２▼を１列に開けた添え木固定具は添え木の中段に設置出来るように穴▲１▼同士を括り連ねた両端穴▲１▼を主柱に固定する。
（ニ）連ねた添え木固定具の間隔が長くなり弛む様であれば数箇所に支柱を設け出来るだけ安定させる。
（ホ）１〜２段に設置された、添え木固定具の穴▲２▼に必要な間隔で添え木▲４▼を差込希望の傾きに成る様に下部を土に差込、添え木▲４▼を固定する。
（ヘ）添え木▲４▼の方向移動、間隔移動の場合添え木固定具の穴▲２▼から抜き他の穴▲２▼に移動利用出来、更に、不必要に成り撤去する場合は添え木▲４▼を引き抜くだけで撤去可能と成ります。
（ホ）使用した、添え木固定具は繰り返し使用可能である。
本発明は以上のような構成で、此れを設置使用することで添え木が簡単に安定設置でき、また、不要に成れば簡単に撤去可能となり、添え木固定具は繰り返し使用可能で有り、労働時間の短縮、及び、経費削減に成る事間違いない。
【図面の簡単な説明】
【０００７】
【図１】  ２列の添え木固定具の平面図
【図２】  図１の側面図
【図３】  １列の添え木固定具の平面図
【図４】  図３の側面図
【図５】  図１と図３を２段に設置した平面図
【図６】  図５のＡ−Ｂに添え木を設置した断面図
【図７】  添え木に、蔓植物が巻き付いた見取り図
【符号の説明】
【０００８】  ▲１▼          添え木固定具を▲５▼に取り付ける穴
▲２▼          添え木を通す穴
▲３▼          添え木固定具を軽量にする為の穴
▲４▼          添え木
▲５▼          固定具を取り付ける棒
【図１】
2010000068.tif 000003
【図４】
2010000068.tif 000004
【図５】
2010000068.tif 000005
【図６】
2010000068.tif 000006
【図７】
2010000068.tif 000007
【手続補正書】
【提出日】平成20年9月2日(2008.9.2)
【手続補正１】
【補正対象書類名】図面
【補正対象項目名】全図
【補正方法】変更
【補正の内容】
【図１】
2010000068.tif 000008
【図２】
2010000068.tif 000009
【図３】
2010000068.tif 000010
【図４】
2010000068.tif 000011
【図５】
2010000068.tif 000012
【図６】
2010000068.tif 000013
【図７】
2010000068.tif 000014
(57)【要約】【課題】水遣りを自動的に簡単に行なえる駆動電力が独立した、水遣り装置を提供する。【解決手段】  太陽電池の発電する電力を電気二重層キャパシタに充電したものを主電源とし、半永久的に充放電が行なえる。また、光感知器と連動して、タイマーを作動させ、設定時間に散水及び水遣りを自動的に行なえるようにした。【選択図】  図１
2010000006.tif 000002
【特許請求の範囲】
【請求項１】
給水機を用い、水を植物に供給する水遣り装置において、光感知制御装置により、設定
した照度から日照時間をカウントし、設定した時間で駆動し、かつ、設定した時間に満た
ない場合、前記の給水機駆動しない事を特徴とした水遣り装置。
【請求項２】
給水機を駆動する駆動源は電気二重層キャパシタに充電する事を特徴とする請求項１の水遣り装置。
【請求項３】
植物の散水や水遣りをする性能を持つ給水機を駆動する制御装置を有し、給水機を駆動
させるに当たり、主電源として電気二重層キャパシタから電力供給する事を特徴とする水
遣り装置。
【請求項４】
散水や水遣りの水量を時間で設定できる事を特徴とした水遣り装置。
【発明の詳細な説明】
【技術分野】
【０００１】
本発明は、散水及び水遣りを給水機により自動的に行なう事を係り、特に太陽電池の発
電と電気二重層キャパシタを主電源として用い、日照量を感知し、水遣り装置に関する。
【背景技術】
【０００２】
従来、時間による給水機の駆動により、植物等の散水や水遣りを行なう水遣り装置
や太陽電池発電を用いたものも考案されている。
例えば、特許文献１に見られるものを詳述すると以下の通りである。電源部は太陽電池と
バッテリーとコントローラーとから構成され、ポンプを駆動させる動力源となされた植物
栽培装置であり、タイマーが併設されている。また、非特許文献１より、電気二重層キャパシタの充放電に関する優位性が記載されている。
【特許文献１】特開平１１−２６２６６号公報
【非特許文献１】監修  西野敦／直井勝彦  「電気化学キャパシタの開発と応用」 シーエムシー出版  ２００４年６月発行  Ｐ３４〜Ｐ４９
【発明の開示】
【発明が解決しようとする課題】
【０００３】
従来の水遣り装置では、時間による給水機の駆動の為、気象条件に係らず、駆動してし
まい、適切な散水及び水遣りができないだけでなく、必要以上に電力を消費してしまう。
また、二次電池は充放電サイクルが２００〜５００開程度と毎日充放電を繰り返す自動水
遣り装置では、寿命が短く、二次電池の充電回路は複雑でコスト高であり、充電時間を長
時間要する為、不便である。日照度を検知し、適切な散水及び水遣りができ、かつ長期に
渡り使用できる自動水遣り装置を提供することにある。
【課題を解決するための手段】
【０００４】
そこで、上記の問題を解決する為に請求項１は、設定した照度以上になった時から時間
をカウントし、設定した時間で駆動し、設定した照度に満たない場合、給水機が駆動しな
い為、気象条件と連動させた、適切な散水及水遣りを可能とする。
【０００５】
請求項２は太陽電池の発電を電気二重層キャパシタに充電でき二次電池よりも急速充電
を可能とするもので、動作をフローチャート図２に示す。
【０００６】
請求項３は植物の散水や水遣りをする性能を持つ給水機を駆動する制御装置を有し、給
水機を駆動させる主電源として電気二重層キャパシタから電力供給することから半永久的
に使用が可能である。
【０００７】
請求項４は散水及び水遣りの水量を時間で設定でき、植物に合わせた水量供給を可能と
する。
【発明の効果】
【０００８】
請求項1記載の発明によれば、設定した照度日照時間をカウントし、設定した時間に満た
ない場合給水機を駆動しない為、気象条件と連動させた適切な水遣りを自動的に行うこと
が出来る。  本発明の水遣り装置により太陽光発電によりができ、二次電池の定期的な交
換が必要なくなり、電気二重層キャパシタを内蔵し、太陽電池を用いたことから本体を小
型、軽量のパケージ化が望め、余分な配線をなくし、設置を容易なものにできる。さらに
、請求項１より適切な植物への散水及び水遣りができるようになる。
【発明を実施するための最良の形態】
【０００９】
本発明内容をより理解しやすくする為に以下の実施例を用いて詳説する。
【実施例】
【００１０】
実施例として図１の構成図に示した。この実施例は１６Ｖ０．１Ａのアルモフェス型太
陽電池１を５枚並列で接続し、過充電防止装置４として、コンパレター回路を内蔵したオ
ペアンプを用い、図２に示したフローチャート図の通り電気二重層キャパシタ５が１２Ｖ
になると発電を停止し、１０Ｖになると充電を再開するようにした。
【００１１】
電気二重層キャパシタ５として２．３Ｖ２０Ｆの電気二重層キャパシタを直列に５個接
続して内蔵し、静電容量４Ｆ、電圧１１．５Ｖ、キャパシタ容量４６Ｃである。
【００１２】
光感知制御装置６では、コンパレター回路を内蔵したオペアンプを用いて、一定量以上
の照度を受けると電力の供給を行ない、一定量以下の照度を受けると電力供給を止める様
になっている。光感知器２として、フォトトランジスタを使用して照度を測り可変抵抗と
の組み合わせで照度を任意に設定できる。
【００１３】
水遣り給水機９は１０Ｖ、１Ａ、１０Ｗで毎分５．４リットル供給できるものとする。
また、電気二重層キャパシタ５による連続有効駆動時間は２０７秒である。
【００１４】
図３と図４に示した通り、水遣り制御装置７では光感知制御装置６と連動して、日照時
間カウントできるタイマーＩＣを使用し、光感知制御装置６から電力供給を受けた時に１
分間５．４リットルの水遣り給水機９を駆動、また、日照時間が６時間あった場合に、１
分間、水遣り給水機９を駆動するようにし、また、日照時間が６時間に満たない場合には
、駆動しないようにした装置である。
【００１５】
５０リットルの水貯蔵容器８に、植物に水を導く給水管１０として、直径２０ｍｍ長さ
５０００ｍｍのビニル管を用い、２００ｍｍ間隔で分配管１１の直径９ｍｍ長さ１５０ｍ
ｍのビニル管を接続し、土壌表面から１００ｍｍの深さに挿入、給水できるようにした。
農作物として、トマト等を植えたが、共に順調に生育できた。
【産業上の利用可能性】
【００１６】
現在、一般家庭菜園用の農園の多々が電気の設備がない場所が多く、しかしながら農作
物において、水遣りの管理は重要であり、園芸家の負担を軽減させるうえでも、本考案の
自動水遣り装置３の需要が期待できる。
【図面の簡単な説明】
【００１７】
【図１】水遣り装置の全体の構成図。
【図２】電気二重層キャパシタの太陽電池による、充電を表したフローチャート図。
【図３】１日晴れていた場合の水遣り装置のタイムチャート図。
【図４】朝が雨で正午から晴れた事を想定した、水遣り装置のタイムチャート図。
【符号の説明】
【００１８】
１    太陽電池
２    光感知器
３    自動水遣り装置
４    過充電防止装置
５    電気二重層キャパシタ
６    光感知制御装置
７    水遣り制御装置
８    水貯蔵容器
９    給水機
１０  給水管
１１  分配管
【図１】
2010000006.tif 000003
【図２】
2010000006.tif 000004
【図３】
2010000006.tif 000005
【図４】
2010000006.tif 000006
(57)【要約】【課題】薄板裁断した場合でも反りが生じることなく、且つ薄板から厚板まで柾目調の美しい面となる集製材を提供することである。【解決手段】本発明では丸太より板目取りした板を複数枚重ね、それらを互いに接合した積層材を接合方向に裁断することにより形成される集成材である。さらに前記板目取りした板の木表若しくは木裏同士が接合されている。且つ前記板目取りした短板の木表繊維方向同士若しくは木裏繊維方向同士連結接合されたものが木表若しくは木裏同士が接合されている。【選択図】        図２
2010000607.tif 000002
【特許請求の範囲】
【請求項１】
丸太より板目取りした板を、複数枚重ね、それらを互いに接合した積層材を接合方向に裁断することにより形成された集成材。
【請求項２】
請求項１において、前記板目取りした板の木表若しくは木裏同士が接合されている事を特徴とする集成材。
【請求項３】
請求項１において、前記板目取りした短板の木表繊維方向同士若しくは木裏繊維方向同士連結接合されたものが木表若しくは木裏同士が接合されている事を特徴とする集製材。
【発明の詳細な説明】
【技術分野】
【０００１】
本発明は、丸太より製材した複数の板を接着剤で重ね合わせた集成材に関する。
通常製材による板目方向性能と柾目方向性能を持った板材の性能は樹種によって違いますが杉、桧を例とした狂い、変形の目安である平均収縮率（さらに板目、木表面、木裏面との比較すると木表面の方が収縮率が大で反り変形する）は板目方向が１とした場合柾目方向は1/2から1/2.5と板目方向との比較では柾目方向の方がかくだんに小さく狂い変形面での性能がすぐれており、集成、製材することにより柾目方向の性能と美しさを持った集成板材を提供。
【背景技術】
【０００２】
従来、長物板材による集製材は構造材としての使用が多く、短材ラミナなどによるものは内装、家具、突き板下地用などに使用され使用部位が限られている。
【０００３】
短材ラミナなどによるものは木裏、木表交互によもの、又はランダム配置状によるものが多く一定した性能が得られない。
【０００４】
短材の湿潤状態等による変形が多く使用部位がそれぞれ限られている（特許文献１参照）。
【０００５】
【特許文献１】特開平６―９１６１２号公報
【発明の開示】
【発明が解決しようとする課題】
【０００６】
薄板裁断した場合でも反りが生じることなく、且つ薄板から厚板まで柾目調の美しい面となる集成材を提供することである。
【課題を解決するための手段】
【０００７】
請求項１に記載した発明に係る構造は、上述課題を解決するために、集成材は丸太より板目取りし、処置（乾燥、圧縮、含侵等材特性や用途及び使用部位による）板を、複数枚重ね、それらを互いに接合した積層材を接合方向に裁断することにより形成される。
【０００８】
集成材は、さらに前記板目取りし、処置（乾燥、圧縮、含侵等材特性や用途及び使用部位による）板の木表若しくは木裏同士が接合されている。
【０００９】
集成材は、さらに前記板目取りし、処置（乾燥、圧縮、含侵等材特性や用途及び使用部位による）短板の木表繊維方向同士若しくは木裏繊維方向同士連結接合されたものが木表若しくは木裏同士が接合されている。
【発明の効果】
【００１０】
薄板裁断した場合でも反りが生じることなく、且つ薄板から厚板まで柾目調の美しい面の集成材と成る。
【発明を実施するための最良の形態】
【００１１】
発明の実施の形態を実施例にもとづき図面を参照して説明する
図１ａは丸太より板目取りされた板材２を示す、図１ｂは板材２の各面の名称として、２ａは柾目方向面、２ｂは板目方向木表面、２ｃは板目方向木裏面、２ｄは木口面を示す、図２において、板材２０は板目方向木裏面２ｃを下側に、板材２１は板目方向木裏面２ｃを上側にしそれらを互いに板目方向木裏同士接着面２ｃ'により接着剤で接合した積層材同士を板目方向木表同士接着面２ｂ'により接合した積層材１を接合方向裁断線３部において裁断し集成材１ａが得られる。
【００１２】
請求項３、図３、短材ラミナ３０と３１を突き合わせフィンガージョイント又はスカーフジョイント４により接合し、接合板材２０'及び接合板材２１'とする。接合板材２０'は木裏を下側に、接合板材２１'は木裏を上側にしそれらを互いに接着剤により接合した積層材１を接合方向裁断線３部において裁断し集成材１ａが得られる。
【図面の簡単な説明】
【００１３】
【図１】（ａ）丸太より板目取りする図。         (ｂ）板の端面を示した図。
【図２】板目方向性能と柾目方向性能を持った木裏材、又は木表材同士複数枚重ねた図。
【図３】短材ラミナを木裏又は、木表繊維方向同士フィンガージョイント又はスカーフジョイントにより接合しそれを複数枚重ねた図。
【符号の説明】
【００１４】
１                積層材
１ａ              集製材
２                板材
２０              板材
２１              板材
２０'             接合板材
２１'             接合板材
２ａ              柾目方向面
２ｂ              板目方向木表面
２ｂ'             板目方向木表同士接着面
２ｃ              板目方向木裏面
２ｃ'             板目方向木裏同士接着面
２ｄ              木口面
３                接合方向裁断線
３０              板材
３１              板材
４                フィンガージョイント又はスカーフジョイント
【図１】
2010000607.tif 000003
【図２】
2010000607.tif 000004
【図３】
2010000607.tif 000005
(57)【要約】      （修正有）【課題】顔全体を長い時間冷やす為のマスクを提供する。【解決手段】袋型顔マスク１に不凍ゲルを入れ、キルチングライン６を部分的に設けた。固定の為テープ２、３、４、５を付けた。【選択図】図１
2010000319.tif 000002
【特許請求の範囲】
【請求項１】
袋型顔マスク（１）に不凍ゲルを入れ、キルチング（６）を部分的に設けた。固定の為テープ（２）（３）（４）（５）を付けた引き締めマスク。
【発明の詳細な説明】
【技術分野】
【０００１】この発明は、顔全体を覆うマスクで、中に不凍ゲルを入れてあり、長い時間冷やすものである。
【背景技術】
【０００２】従来、顔マスクはローション入りで、冷やすのに不十分である。
【発明の開示】
【０００３】従来のマスクは、顔にパックをする意味では良いが、長い時間冷やすことはできない。本発明は、不凍ゲルをマスクに入れ冷凍庫にて冷やすことで可能にした。
【０００４】立体的な顔に添うように、マスクに切れ目、又キルチング線をいれた。
【発明の効果】
【０００５】不凍ゲルの為、長い時間冷やす事でき、一度に顔全体をカバーするので手間が省ける。
【発明を実施するための最良の形態】
【０００６】マスクを冷凍庫に置き、取り出して顔に乗せ、２０分程冷やす。図２、３、４、５のテープにより、動くのも可能である。
【図面の簡単な説明】
【０００７】
【図１】本発明の正面図である。
【符号の説明】
【０００８】１  マスク
２、３、４、５  テープ
６  キルチング
【図１】
2010000319.tif 000003
(57)【要約】【課題】テレビゲーム機では、マージャンゲームやカードゲームを同時に複数人で楽しめなかった。【解決手段】テレビゲーム機のコントローラーに液晶プライベートウインドウを設けることにより、自分に配られた牌やカードが他人に見られなくすることなり、マージャンゲームやカードゲーム等が同時に複数人で楽しめる。【選択図】図１
2010000318.tif 000002
【特許請求の範囲】
【請求項１】
液晶プライベートウインドウを設けたコントローラー付テレビゲーム機で、マージャンゲームやカードゲーム等、自分の手持ち分の牌やカードを他人に見られなくすることが出来る。
【請求項２】
液晶プライベートウインドウを設けたコントローラー付テレビゲーム機で、マージャンゲームを２名で楽しむ場合、残り２名はコンピュータと対戦できる。
【請求項３】
液晶プライベートウインドウを設けたコントローラー付テレビゲーム機で、マージャンゲームを３名で楽しむ場合、残り１名はコンピュータと対戦できる。
【請求項４】
液晶プライベートウインドウを設けたコントローラー付テレビゲーム機で、マージャンゲームを４名で楽しむ事ができる。
【請求項５】
液晶プライベートウインドウを設けたコントローラー付テレビゲーム機で、カードゲームを２名以上で同時に楽しむことが可能になり、人数の選択により、残りの相手はコンピュータでも可能となる。
【請求項６】
液晶プライベートウインドウを設けたコントローラー付テレビゲーム機で、カードゲームは最大８名まで同時に楽しめる。
【発明の詳細な説明】
【技術分野】
【０００１】液晶プライベートウインドウを設けたコントローラー付テレビゲーム機により、数人が集まった際でも、テレビゲーム機でマージャンゲームやカードゲーム等といった、これまでコンピュータとしか対戦できなかったゲームが同時に数人で遊べるようになる。
【背景技術】
【０００２】これまでのテレビゲーム機は、液晶プライベートウインドウを設けたコントローラー付でなく、マージャンゲームやカードゲーム等はコンピュータとの対戦型であった。
【発明の開示】
【発明が解決しようとする課題】
【０００３】液晶プライベートウインドウを設けたコントローラー付テレビゲーム機で、マージャンゲームやカードゲーム等をする場合、１人でコンピュータとの対戦でしか遊べなかったが、数人集まっても全員で同時にマージャンゲームやカードゲーム等が楽しめるようになる。
【課題を解決するための手段】
【０００４】液晶プライベートウインドウを設けたコントローラー付テレビゲーム機により、自分に配られた牌やカードが他人に見られなくなる。
【発明の効果】
【０００５】液晶プライベートウインドウを設けたコントローラー付テレビゲーム機で、マージャンゲームやカードゲーム等が、複数人で楽しめる。
（イ）テレビゲーム機のマージャンゲームが同時に４人まで楽しめる。
（ロ）テレビゲーム機のカードゲームが液晶プライベートウインドウ付コントローラー４個の場合、同時に４人まで楽しめる。
（ハ）テレビゲーム機のカードゲームが液晶プライベートウインドウ付コントローラー８個の場合、同時に８人まで楽しめる。
【実施例１】
【０００６】テレビゲーム機のコントローラーに、図１の２のような液晶プライベートウインドウが設けられればよく、コントローラーの形状には特に制限はない。
【図面の簡単な説明】
【０００７】
【図１】テレビゲーム機の液晶プライベートウインドウ付コントローラーを示した、平面図である。
【符号の説明】
【０００８】１  コントローラー
２  液晶プライベートウインドウ
【図１】
2010000318.tif 000003
(57)【要約】【課題】香炉の掃除の時に、灰を何度も移動させる手間が省け、そのたびに灰が飛散することがない、側壁があるため横から灰が落ちることを防止する、底に穴が開いているだけではなく、網状になっているため灰が落ちやすく、燃え残り線香が底に残りやすい、灰をまるごと移すタイプに比べ、相対的にかなり安価、軽量、コンパクトである、網で掴むタイプに比べ、様々な香炉への汎用性が高い、香炉の端に動いた物も除去できる、洗うだけでメンテナンスが簡単である香炉から掬うタイプの燃え残り線香除去具を提供する。【解決手段】  香炉内の燃え残り線香を除去するにあたり、底面を網状にして、網の外周上面に香炉から灰を十分掬えかつふるっても横からこぼれることのない高さの外壁部を設け、長手方向に取っ手を取り付けた事を特徴とした香炉から掬うタイプの燃え残り線香除去具。【選択図】図１
2010000317.tif 000002
【特許請求の範囲】
【請求項１】
香炉内の燃え残り線香を除去するにあたり、底面を網状にして、網の外周上面に香炉から灰を十分掬えかつふるっても横からこぼれることのない高さの外壁部を設け、長手方向に取っ手を取り付けた事を特徴とした香炉から掬うタイプの燃え残り線香除去具。
【発明の詳細な説明】
【技術分野】
【０００１】  本発明は、香炉の中に残り、線香使用の際に邪魔になる燃え残りの線香を除去するための、底が網状で、側面があり、持ち手のついた、香炉から掬うタイプの燃え残り線香除去具に関するものである。
【背景技術】
【０００２】  従来、香炉用のふるいがあった。透明の灰受けのついたざる構造の線香ふるい（特許文献１）があった。仏壇の線香立ての灰を簡単に掃除することができる篩い器（特許文献２）があった。穴あきおたまがあった。穴あきスプーンがあった。穴あきれんげ（特許文献３、４、５、６、７）があった。穴あきフライ返しがあった。電動灰清掃具（特許文献８）があった。灰清掃具、灰清掃蓋、灰清掃具セット（特許文献９）があった。
【特許文献１】特許公開２００６−１７５１８４号公報
【特許文献２】特許公開２００７−１７５４７２号公報
【特許文献３】特許公開２００４−００８７３０号公報
【特許文献４】特許公開２０００−３０８５８３号公報
【特許文献５】特許公開２００４−０８９６４７号公報
【特許文献６】登録実用新案第３１０２１５３号公報
【特許文献７】登録実用新案第３０１３８１３号公報
【特許文献８】登録実用新案第３１４０７４１号公報
【特許文献９】登録実用新案第３１２０１１４号公報
【発明の開示】
【発明が解決しようとする課題】
【０００３】  そのために、次のような欠点があった。香炉用のふるい、線香ふるい（特許文献１）、仏壇の線香立ての灰を簡単に掃除することができる篩い器（特許文献２）、は灰の移動時に手間と飛散の懸念があった。穴あきおたま、穴あきスプーン、穴あきれんげ、穴あきフライ返しは用途が違うために灰が適切に落ちず、適切に線香が残らなかった。また側面から灰が落ちてしまいやすかった。電動灰清掃具（特許文献８）では構造が複雑で高価であった。灰清掃具、灰清掃蓋、灰清掃具セット（特許文献９）は掴む構造上様々な大きさの香炉に対応するのが難しく、また、解決方法がことなった。
【課題を解決するための手段】
【０００４】  れんげよりも比率的に高さのある側面をもち、底を灰は落ちて線香は落ちない２〜３ｍｍの目の網で構成し、持ち手をつけ、耐熱性の素材で構成された、香炉から掬うタイプの、燃え残り線香除去具に関するものである。
【発明の効果】
【０００５】  香炉の掃除の時に、灰を何度も移動させる手間が省け、そのたびに灰が飛散することがない。側壁があるため側壁内に多めの灰を保持できた上でふるったときに網の側面より灰が落ちることを防止する。穴あきおたま・穴あきれんげ・穴あきスプーンでは側壁がないため、灰をふるう時に横からこぼれてしまう・または少量のみしかふるうことができない。そこにあなが開いているだけではなく、網状になっているため灰が落ちやすく、燃え残り線香が底に残りやすい。灰をまるごと移すタイプに比べ、相対的にかなり安価、軽量、コンパクトである。網で掴むタイプに比べ、様々な香炉への汎用性が高い、香炉の端に動いた物も除去できる。洗うだけでメンテナンスが簡単である。
【発明を実施するための最良の形態】
【０００６】  以下、本発明の第一実施の形態について説明する。底が網状になった灰をふるうための網部（３）と、灰を横から落とさないための香炉から灰を十分掬えかつふるっても横からこぼれることのない高さの外壁部の（２）と把持部（１）よりなる真鍮等耐熱性の素材の燃え残り線香除去具を構成する。この時、灰を側面から落としにくくするために、側面は香炉から掬うのに適した範囲で高くしたほうがよい。また、網は細かすぎると灰が落ちないため、ぎりぎり線香が落ちないくらいがよい。本発明品の大きさは香炉の大きさが多数存在するため、様々なパターンがありうる。持ち手には断熱の素材を用いることも考えられる。【０００７】以下、本発明の使用例１について説明する。
（イ）線香が燃えきっているタイミングで、線香の残っている場所をめがけ、香炉から灰を掬う。この時、側面から落ちるのを避けるため、山盛りに掬うのは避ける。
（ロ）物理的には、灰を入れ、網を灰の上に位置しながら、そのまま香炉に軽くぶつければ、ふるいの役割をして網から掬った灰が落ちていく。
（ハ）マナー的には持っている手を逆の手で軽く叩くと音も出ずなおよい。
（ニ）付属させる予定である線香用のゴミ入れに捨てる。
（ホ）必要があれば軽く洗う。
【図面の簡単な説明】
【０００８】
【図１】  本発明の斜視図
【図２】  本発明の平面図
【図３】  本発明の網部の平面図
【符号の説明】
【０００９】    １、把持部
２、側壁部
３、網部
【図１】
2010000317.tif 000003
【図２】
2010000317.tif 000004
【図３】
2010000317.tif 000005
(57)【要約】【課題】    持ち手を握る時と鞄が左右に揺れる時に手にかかる負担の軽減、および鞄の持ち手接合部が引っ張られることによる型崩れを防ぐ。【解決手段】  鞄を持つ時の手に適合するＴ字型あるいはＬ字型の形状で取っ手部分の一部が前後あるいは左右に傾くことを特徴とする取っ手と、取っ手の台座部分が鞄全体を支える形状を特徴とする鞄の持ち手などにより、この課題を解決する。【選択図】図２
2010000324.tif 000002
【特許請求の範囲】
【請求項１】
鞄を持つ時の手に適合するＴ字型あるいはＬ字型の形状を特徴とする取っ手の一部分が、前後あるいは左右に傾き、ジョイスティック式に最初に定められた位置に戻る構造を特徴とする鞄の持ち手。
【請求項２】
Ｔ字型あるいはＬ字型の形状で、その台座そのものが全体で鞄の重量を支えることで、台座の付け根部分のみに力がかかることによっておこる鞄の型崩れを防ぐ事を特徴とする請求項１に記載の鞄の持ち手。
【発明の詳細な説明】
【技術分野】
【０００１】  本発明は、鞄を持つ事が容易で鞄の型崩れを防ぐＴ字型あるいはＬ字型持ち手に関するものである。
【背景技術】
【０００２】  従来の鞄の持ち手は、取っ手部と鞄上部の間に手を差し入れるための輪になった部分に手を差し入れて握り、鞄の重さを支える形状である。この例として、特許文献１や、特許文献２に開示されているものがある。
【特許文献１】特開平１１−１３７３２６号公報
【特許文献２】実用新案登録第３０９６８９２号公報
【発明の開示】
【発明が解決しようとする課題】
【０００３】  しかし従来のような持ち手の形状は、鞄が左右に揺れ重心が移動する際には、手に負担がかかっていた。また鞄の側には持ち手の付け根部分にのみ力がかかり、全体のシルエットが崩れることがあった。本発明はこのような、持ち手を握る時と鞄が左右に揺れる時に手にかかる負担を軽減させ、鞄の型崩れを防ぐことを課題とする。
【課題を解決するための手段】
【０００４】  この課題を解決するための請求項１の発明は、鞄を持つ時の手に適合するＴ字型あるいはＬ字型の形状で、左右に傾き、ジョイスティック式に最初に定められた位置に戻る構造を特徴とするもので、手に伝わる鞄の揺れを減少させる。【０００５】  また請求項２の発明は、鞄全体の重量を台座部全体に分散させつつ支えることで型崩れを防ぐもので、取っ手の台座部分全体が鞄の全重量を支える構造を特徴とするものにする。
【発明の効果】
【０００６】  本発明の持ち手は、握った時に手に適合する形状で、左右に傾く構造のため、従来の取っ手に比べ鞄が揺れる時にその重さを支える手にかかる負担を軽減できる。【０００７】  請求項２の発明の持ち手は、台座部分全体が鞄の全重量を支える形状のため、従来の取っ手に比べ鞄が型崩れするのを防ぐ事できる。
【発明を実施するための最良の形態】
【０００８】  図１に示すように取っ手部を丸みを帯びた形状にし、基礎部との繋がり面を適度な細さにして手に適合しやすくする。【０００９】  図２に示すように取っ手部を左右に傾くよう、取っ手部立ち上がり面を括れさせる。【００１０】  図３に示すように取っ手を傾け回転させた際に鞄の先端と接触する程度に取っ手と台座接合面の括れを大きくするのが好ましい。【００１１】  寸法、材質は接着する鞄や用途に応じて決められる。
【産業上の利用可能性】
【００１２】  本発明に係る鞄の持ち手は、工業的に量産することが可能であるため、産業上の利用可能性を有する。
【図面の簡単な説明】
【００１３】
【図１】Ｔ字型持ち手が左右に傾く構造を示した断面の斜視図である。
【図２】Ｔ字型持ち手の握った時に手に適合する形状を示した斜視図である。
【図３】Ｔ字型持ち手の台座部分の内部構造を示した底面図である。
【図４】Ｔ字型持ち手の内部構造を示した右側面の断面図である。
【図５】Ｔ字型持ち手の正面の断面図である。
【図６】鞄に取り付けた際の持ち手と台座部分を示した斜視図である。
【図７】Ｌ字型持ち手の形状を示した正面の断面図である。
【符号の説明】
【００１４】ア  取っ手を傾け回転させた際に鞄の先端と接触する程度にこの面の括れを大きくする。
イ  手に適合しやすい丸みを帯びた形状。
ウ  取っ手部と基礎回転部の繋がり面を適度な細さにして手に適合しやすくする。
エ  取っ手を傾斜させてもぶつからないように取っ手部立ち上がり面を括れさせる。
オ  鞄の上部の形状と寸法に合わせて鞄の全重量を支えるようにした台座の形状。
【図１】
2010000324.tif 000003
【図２】
2010000324.tif 000004
【図３】
2010000324.tif 000005
【図４】
2010000324.tif 000006
【図５】
2010000324.tif 000007
【図６】
2010000324.tif 000008
【図７】
2010000324.tif 000009